(57)【特許請求の範囲】
【請求項１】
紙片を折り曲げて、上紙片、左右の脚紙片及び縁部の折り曲げ補強紙片とにより仕切兼支持部材を形成し、該上紙片の裏面側となる該左右の脚紙片及び補強紙片とによって囲まれた空間並びにその下方部を物品を配設する空間としてなる物品保持部材において、該物品を、帯状の長尺部材よりなる物品支持部材により該上紙片の裏面側に固定する構造とし、該物品支持部材は、幅広の緊縛部と、該緊縛部両端の板状の係止部とよりなり、該緊縛部は、伸縮可能な可撓性を有する軟質フィルムより形成し、該係止部は、幅方向の中心位置に形成した略円形の貫通孔及び該貫通孔に至る側端縁部から湾曲状に形成した該貫通孔の径より小さな巾の貫通案内溝とより形成し、該両端の係止部は、該貫通孔に至る貫通案内溝の開口位置が各々反対側の側端縁部とされ、上記一方側の係止部の貫通孔と他方側の係止部の貫通孔とを噛み合わせることにより物品を上記空間に固定保持してなることを特徴とする物品保持部材。
【請求項２】
物品支持部材の係止部のいずれか一方側に、幅方向の中心位置に形成した略円形の貫通孔及び該貫通孔に至る貫通案内溝を数箇所設けてなることを特徴とする請求項１に記載の物品保持部材。
【発明の詳細な説明】
【０００１】
【発明の属する技術分野】
本発明は、固形状物品（液体を包装したものも含む）等を仕切兼支持部材及び帯状の物品支持部材とより成る物品保持部材により、吊り下げ梱包支持する技術に関するものである。
【０００２】
【従来の技術】
従来より、物品を梱包する手段として様々な手段が採用されている。例えば紐状体で当該物品を縛りつけて梱包するもの、広い平面を有する包装布や包装紙等の包装体を利用して梱包するもの、物品の形状に合わせて形成した容器内に当該物品を配設して梱包するもの、容器内に緩衝手段を介して当該物品を梱包するもの等の手段が行われている。
【０００３】
【発明が解決しようとする課題】
上記紐状体のもので物品を梱包するには、物品を該紐状体により数回巻き付け、強く締め付け固定する必要があるが、１箇所にとどまらず縦・横方向等適宜箇所にわたって巻き付ける必要があり、更に最後には強く縛り付ける必要もある。上記手段は紐状体による巻き付け作業に時間がかかること、安定した締め付け力を得るにはある程度の技術を要すること等の欠点があった、
【０００４】
また、物品の形状に合わせた容器等により梱包する手段は、予め当該物品の形状に合わせてダンボールや発砲スチロール等の容器を形成しておく必要があり、コストが高くなる欠点があった。且つ同一の形状の物品には対応できるが、物品の形状が異なった場合には対応出来ないので、同一物品の大量生産品を梱包する手段としては良いが、各種大きさのものに対応することは出来なかった。
【０００５】
更に、上記梱包手段の内、ガラス製品等の壊れ易い物品に対しては、所定の容器内に緩衝手段を介して当該物品を梱包しているが、外部からの強い衝撃に対して当該物品の破壊を守ることは必ずしも十分で無かった。
【０００６】
【課題を解決するための手段】
本発明は、物品に対して紐状体により数回巻き付ける必要が無く、締め付け作業の必要も無く、従って梱包に要する作業時間を省力化でき、且つ熟練を要すること無く安定した締め付け力を得ることの出来る物品支持部材を利用した物品保持部材を提供するものである。
また、物品を梱包出来るように、予めその物品の形状に合った容器を形成しておく必要が無く、その製造コストを省くことが出来る。更に、様々な形状及び厚さの物品の梱包に対応出来る物品支持部材を利用した物品保持部材を提供するものである。
更に、ガラス製品等の壊れ易い物品に対して、所定の容器内に緩衝手段等を設けること無く、外部からの強い衝撃に対して当該物品の破壊を防止することが出来る物品支持部材を利用した物品保持部材を提供するものである。
【０００７】
また、物品を梱包出来るように、予めその物品の形状に合った容器を形成しておく必要が無く、その製造コストを省くことが出来る。更に、様々な形状及び厚さの物品の梱包に対応出来る物品保持部材を提供するものである。
更に、ガラス製品等の壊れ易い物品に対して、所定の容器内に緩衝手段等を設けること無く、外部からの強い衝撃に対して当該物品の破損や破壊を防止することが出来る物品保持部材を提供するものである。
【０００８】
本発明は上記手段を達成するために以下の構成を採用したもので、その具体的構成として、紙片を折り曲げて、上紙片、左右の脚紙片及び縁部の折り曲げ補強紙片とにより仕切兼支持部材を形成し、該上紙片の裏面側となる該左右の脚紙片及び補強紙片とによって囲まれた空間並びにその下方部を物品を配設する空間としてなる物品保持部材において、該物品を、帯状の長尺部材よりなる物品支持部材により該上紙片の裏面側に固定する構造とし、該物品支持部材は、幅広の緊縛部と、該緊縛部両端の板状の係止部とよりなり、該緊縛部は、伸縮可能な可撓性を有する軟質フィルムより形成し、該係止部は、幅方向の中心位置に形成した略円形の貫通孔及び該貫通孔に至る側端縁部から湾曲状に形成した該貫通孔の径より小さな巾の貫通案内溝とより形成し、該両端の係止部は、該貫通孔に至る貫通案内溝の開口位置が各々反対側の側端縁部とされ、上記一方側の係止部の貫通孔と他方側の係止部の貫通孔とを噛み合わせることにより物品を上記空間に固定保持してなる物品保持部材を特徴としている。
【０００９】
更に、物品支持部材の係止部のいずれか一方側に、幅方向の中心位置に形成した略円形の貫通孔及び該貫通孔に至る貫通案内溝を数箇所設けてなる物品保持部材を特徴としている。
【００１０】
【発明の実施の形態】
【実施例１】
本発明は、仕切兼支持部材Ａと物品支持部材Ｂとより成る物品保持部材で、図１（ａ）は、物品保持部材における仕切兼支持部材Ａの展開平面図を示したもので、図１（ｂ）は、物品保持部材における２個の無端帯状の物品支持部材を示している。
【００１１】
本発明における実施例を以下に示す。
仕切兼支持部材Ａは、ダンボール製等の紙製のもので、図１（ａ）に示すように、一枚の紙片を折り曲げて、物品を保持する仕切兼支持部材Ａに形成するものである。該仕切兼支持部材Ａは、上紙片１、左右の脚紙片２、３及び折り曲げ補強紙片４、５とより形成されている。
上紙片１は、容器等の収納物に納まる大きさの長方形の形状をし、その各周縁部の各片に折り曲げ部６〜９が形成されている。また、該折り曲げ部６〜９に近接した端縁部に、該折り曲げ部６〜９に平行するように、その左右略中央部に脚紙片２、３の先端部が嵌合する脚紙片係止孔１０、１１が形成され、また、上下略中央部には、該補強紙片４、５の先端部が嵌合する補強紙片係止孔１２、１３が形成されている。
【００１２】
脚紙片２、３は、折り曲げられて脚の役割をすることに成るもので、各々側紙片１４〜１７、底紙片１８、１９及び挿入片２０、２１とより形成されている。該脚紙片２、３は、側紙片１４〜１７と底紙片１８、１９間を折り曲げて図２の正面図に示すように、断面コ字型状に折り曲げ形成している。その際、挿入片２０、２１は、上紙片１に形成された脚紙片係止孔１０、１１に挿入することによって脚が形成される。
【００１３】
補強紙片４、５は、上紙片１の他の２片に形成され、折り曲げ部７、９に連続して形成される。該補強紙片４、５は、上記脚紙片２、３と同様、側紙片２２〜２５、底紙片２６、２７及び挿入片２８、２９とより形成され、断面コ字型状に折り曲げ形成され、その先端の挿入片２８、２９を、上紙片１に形成された脚紙片係止孔１２、１３に挿入することによって物品を保持する補強部材が形成される。
【００１４】
図１（ｂ）は無端帯状の物品支持部材Ｂを示している平面図で、幅広の帯状部材で、合成樹脂製の可撓性のあるフィルムより形成されている。上記可撓性フィルムは厚さ０、０２〜０、５ｍｍ程度の軟質フィルムが使用され、各方向に伸縮出来るように形成されている。
【００１５】
図３は、物品Ｗを保持した状態を示す断面図で、仕切部材Ａに物品Ｗを嵌め込み、無端帯状の物品支持部材Ｂにより支持している状態を示している。上記仕切部材Ａの脚紙片２、３と補強紙片４、５により物品Ｗの側部を押さえる役割をしている。上記脚紙片２、３と補強紙片４、５とにはめ込まれた物品Ｗは、その全体を無端帯状の物品支持部材Ｂにより支持されている。
【００１６】
図４は、物品Ｗを保持した状態を示す斜視図で、仕切部材Ａの上紙片１の裏面側に物品Ｗを配設し、脚紙片２、３側等より挿入した無端帯状の物品支持部材Ｂにより物品Ｗを吊り下げ保持している。本実施例のものは２本の物品支持部材Ｂを採用している。
【００１７】
【実施例２】
図５は、本発明の物品支持部材Ｃの他の実施例の平面図を示したもので、物品支持部材Ｃは帯状の長尺部材のもので、緊縛部３２と該緊縛部３２の両端部に形成された各係止部３３、３４とより構成されている。
上記緊縛部３２は幅広の帯状部材で、合成樹脂製の可撓性のあるフィルムより形成されている。上記可撓性フィルムは厚さ０、０２〜０、５ｍｍ程度の軟質フィルムが使用され、各方向に伸縮可能な材料より形成されている。
【００１８】
上記係止部３３、３４は、該緊縛部３２の両端部に接着、溶着等の適宜な手段によって取着されているもので、該緊縛部３２と一体的に使用される。該係止部３３、３４は、板状の部材が使用され、その適宜箇所に係止手段３５、３６が各々形成されている。
上記係止手段３５、３６としては様々なものが考えられるが、以下にその一実施例を示す。
【００１９】
緊縛部３２の一端部に薄手の板状の係止部３３を形成している。該一方の係止部３３には係止手段３５が形成され、該係止手段３５は幅方向の略中心位置ＬーＬに、略円形の貫通孔３７が形成され、該貫通孔３７には、係止部３３の側端縁部より該貫通孔３７に至る案内溝３８が形成されている。該案内溝３８は、係止部３３の長手方向の側端縁部より中心位置ＬーＬに形成されている該貫通孔３７に至るまでの湾曲状の貫通溝として形成されている。従って、該案内溝３８は係止部３３の側端縁部にその開口を形成していることに成る。
上記案内溝３８の幅は適宜幅が選定されるが、貫通孔３７の直径は該案内溝３８の貫通溝幅よりやや幅広に形成され、係止手段３５の全体構造としては該貫通孔３７が膨出部と成る形状とされている。
【００２０】
緊縛部３２の他方の端部には他方の係止部３４が固定されている。他方の係止部３４には、上記同様に係止手段３６が形成され、該係止手段３６は上記一方の係止手段３５と噛み合わされて係止されるもので、上記係止手段３５と同様、幅方向の略中心位置ＬーＬに、略円形の貫通孔３９が形成され、該貫通孔３９には、係止部３４の端縁部より該貫通孔３９に至る案内孔４０が形成されている。該案内孔４０は、係止部３４の長手方向の内側の端縁部より外方の中心位置ＬーＬに向け、且つ該貫通孔３９に至るまでの湾曲状に形成されている。案内孔４０の幅は適宜幅が選定されるが、貫通孔３９の直径幅は該案内孔４０の貫通幅より幅広に形成され、係止手段３６の全体構造としては該貫通孔３９が膨出部と成っている形状とされている。
【００２１】
上記他方の係止部３４には、少なくとも上記した係止手段３６を１箇所設けるが、本実施例では、上記係止手段３６と同様な他の係止手段３６’を設けることができる。
係止手段３６、３６’・・は、必要により適数箇所設けることが出来る。
【００２２】
上記構成より成る物品支持部材Ｃは、図６の斜視図で示すように、様々な物品Ｗを、その外側から巻き付けるようにして使用するが、その係止手段は、図７及び図８に示している。
【００２３】
以下にその係止方法の実施例を示す。
係止手段としては、物品支持部材Ｃの緊縛部３２上に適宜物品Ｗを載置し、該物品Ｗを巻き付けるようにして、係止部３３、３４を物品Ｗの上方へ回し込む。他方の係止部３４を該物品Ｗ上に載せ、一方の係止部３３を持って緊縛部３２を延ばした状態で、両係止部３３、３４を相互に係止することに成る。
【００２４】
上記方法とは逆に、一方の係止部３３を該物品Ｗ上に載せ、他方の係止部３４を持って緊縛部３２を延ばした状態で、両係止部３３、３４を相互に係止することも可能である。
図７に示すものは、一方の係止部３３に形成された係止手段３５を他方の係止部３４に形成された係止手段３６に係止した状態を示している。
【００２５】
図８に示すものは、一方の係止部３３に形成された係止手段３５を他方の係止部３４に形成された係止手段３６’に係止した状態を示している。この状態で囲繞される物品Ｗは、両係止部３３、３４で形成される輪の大きさを大きくすることが出来るので、図７に示す状態のものより厚い或いは幅のある物品Ｗを緊縛することが出来る。
【００２６】
【発明の効果】
上記のように、本発明は、物品を軟質フィルムによる伸縮力により強固に固定することができるので、紐状体等を数回巻き付ける必要が無く、締め付け作業の必要も無く、従って梱包に要する作業時間を省力化でき、且つ熟練を要すること無く安定した締め付け力の有る物品保持部材を得ることが可能と成った。
また、ガラス製品等の壊れ易い物品に対して、所定の容器内に緩衝手段等を設けること無く、物品を吊り下げ支持することが出来るので、外部からの強い衝撃に対してその衝撃力を物品支持部材による各方向からの伸縮力により吸収することが出来るので、当該物品の破損や破壊を防止することを可能としたものである。
【００２７】
上記のように、本発明の物品支持部材は、所定幅を有する可撓性フィルムより成る緊縛部３２と、該緊縛部３２の両端部に形成された各係止部３３、３４とより構成されている帯状の長尺部材なので、簡単な構造で様々な物品Ｗを、素人でも容易に巻き付けて緊縛することが出来る。また、可撓性フィルムの弾力性により、物品Ｗを所定幅を持って強固に締め付け固定することが出来る。
また、物品Ｗの厚さや幅が異なっても、その物品Ｗの厚さや幅に応じた対応が可能である。
【図面の簡単な説明】
【図１】（ａ）本発明の仕切兼支持部材の展開平面図。
（ｂ）本発明の物品支持部材の平面図。
【図２】本発明の仕切兼支持部材の正面図。
【図３】本発明の物品保持部材の断面図。
【図４】本発明の物品保持部材の斜視図。
【図５】本発明の物品支持部材の他の実施例の平面図。
【図６】本発明の物品支持部材により物品を保持している他の実施例の斜視図。
【図７】本発明の物品支持部材の係合状態を示す他の実施例の平面図。
【図８】本発明の物品支持部材の係合状態を示す他の実施例の平面図。
【符号の説明】
Ａ、仕切兼支持部材
Ｂ、Ｃ、物品支持部材
Ｗ、物品
１、上紙片
２、３、脚紙片
４、５、折り曲げ補強紙片
６〜９、折り曲げ部
１０、１１、脚紙片係止孔
１２、１３、補強紙片係止孔
１４〜１７、側紙片
１８、１９、底紙片
２０、２１、挿入片
２２〜２５、側紙片
２６、２７、底紙片
２８、２９、挿入片
３２、緊縛部
３３、３４、係止部
３５、３６、係止手段
３７、３９、貫通孔
３８、４０、案内孔
【図１】
0003718102.tif 000002
【図２】
0003718102.tif 000003
【図３】
0003718102.tif 000004
【図４】
0003718102.tif 000005
【図５】
0003718102.tif 000006
【図６】
0003718102.tif 000007
【図７】
0003718102.tif 000008
【図８】
0003718102.tif 000009